(57)【要約】【課題】低消費電力である情報処理端末を提供する。【解決手段】情報処理端末を、特定小電力無線で通信を行うトランシーバ部１０と、無線ＬＡＮを介して通信を行うターミナル部２０とで構成し、電源スイッチ２を投入したときには、ターミナル部２０は起動させずに、低消費電力のトランシーバ部１０のみ起動するようにしている。消費電力が高いターミナル部２０は、トランシーバ部１０が特定のショートメッセージを受信したときに起動する構成にしている。【選択図】図１
2012222749.tif 000002
【特許請求の範囲】
【請求項１】
電源と、
オンしているときに前記電源からパワーの供給を受けて、情報を送受信する第１の通信部と、
オンしているときに前記電源からパワーの供給を受けて、情報を送受信する第２の通信部と、
操作可能に設けられ、前記第１の通信部及び第２の通信部がオフしているときに、操作に基づいて第１の通信部のみをオンにする起動手段と、
前記第１の通信部が特定の情報を受信した場合に、前記第２の通信部をオンにする通信起動手段と、
を備えることを特徴とする情報処理端末。
【請求項２】
操作可能に設けられ、操作に応じて前記第２の通信部のみをオンまたはオフにするオン・オフ手段を備えることを特徴とする請求項１に記載の情報処理端末。
【請求項３】
操作可能に設けられ、操作に応じて前記第１の通信部及び第２の通信部を同時にオフにする同時オフ手段を備えることを特徴とする請求項１又は２に記載の情報処理端末。
【請求項４】
前記第２の通信部は前記第１の通信部よりも消費電力が高いことを特徴とする請求項１乃至３のいずれか１項に記載の情報処理端末。
【請求項５】
前記第１の通信部は、特定小電力無線で情報を送受信することを特徴とする請求項１乃至４のいずれか１項に記載の情報処理端末。
【請求項６】
前記第２の通信部は、無線ＬＡＮを介して情報を送受信することを特徴とする請求項１乃至５のいずれか１項に記載の情報処理端末。
【請求項７】
前記第２の通信部は、無線ＬＡＮを介してメールを受信する機能を持ち、
前記特定の情報は、当該情報処理端末に新着メールが届いることを示す情報であることを特徴とする請求項６に記載の情報処理端末。
【請求項８】
前記第２の通信部は、データを収集するスキャナを有することを特徴とする請求項１乃至７のいずれか１項に記載の情報処理端末。
【請求項９】
前記電源は、電池であることを特徴とする請求項１乃至８のいずれか１項に記載の情報処理端末。
【請求項１０】
電源と、オンしているときに前記電源からパワーの供給を受けて、情報を送受信する第１の通信部と、オンしているときに前記電源からパワーの供給を受けて、情報を送受信する第２の通信部と、を備える情報処理端末を制御する情報処理端末制御方法であって、
前記第１の通信部及び第２の通信部がオフしているときに、与えられた指示に基づいて第１の通信部のみをオンにする起動処理と、
前記第１の通信部が特定の情報を受信した場合に、前記第２の通信部をオンにする通信起動処理と、
を行うことを特徴する情報処理端末制御方法。
【請求項１１】
電源と、オンしているときに前記電源からパワーの供給を受けて、情報を送受信する第１の通信部と、オンしているときに前記電源からパワーの供給を受けて、情報を送受信する第２の通信部と、を備える情報処理端末を制御するコンピュータに、
前記第１の通信部及び第２の通信部がオフしているときに、与えられた指示に基づいて第１の通信部のみをオンにする起動手順と、
前記第１の通信部が特定の情報を受信した場合に、前記第２の通信部をオンにする通信起動手順と、
を実行させることを特徴するプログラム。
【発明の詳細な説明】
【技術分野】
【０００１】
本発明は、情報処理端末、情報処理端末制御方法及びプログラムに関する。
【背景技術】
【０００２】
データ収集や物品管理に用いられる携帯型情報処理端末には、特許文献１に示されるように、スキャナ等を搭載したハンディターミナルがある。
ハンディターミナルは、無線LAN（Local Area Network）を介してサーバに接続され、無線ＬＡＮ及びサーバを介して通信相手と接続され、データ及びメールを送受信できる。近年では、音声も無線ＬＡＮ及びサーバを介して通信できるように、ＶｏＩＰ（Voice over Internet Protocol）の技術を採用したハンディターミナルも存在する。
【先行技術文献】
【特許文献】
【０００３】
【特許文献１】特開２００６−２０３８６号公報
【発明の概要】
【発明が解決しようとする課題】
【０００４】
無線ＬＡＮ及びサーバを介して通信相手と通信を行うハンディターミナルは、待受けているだけでも消費電力が多く、電池を充電したり、電池を交換する頻度が高いという問題があった。
【０００５】
本発明は、消費電力の抑制が可能な情報処理端末等を提供することを目的とする。
【課題を解決するための手段】
【０００６】
上記目的を達成するために、本発明に係る情報処理端末は、
電源と、
オンしているときに前記電源からパワーの供給を受けて、情報を送受信する第１の通信部と、
オンしているときに前記電源からパワーの供給を受けて、情報を送受信する第２の通信部と、
操作可能に設けられ、前記第１の通信部及び第２の通信部がオフしているときに、操作に基づいて第１の通信部のみをオンにする起動手段と、
前記第１の通信部が特定の情報を受信した場合に、前記第２の通信部をオンにする通信起動手段と、
を備えることを特徴とする。
【発明の効果】
【０００７】
本発明によれば、特定の情報が第１の通信部に受信されるまで第２の通信部を起動しないようにできるので、消費電力を抑制することができる。
【図面の簡単な説明】
【０００８】
【図１】本発明の実施形態に係る情報処理端末を示す構成図である。
【図２】情報処理端末の使用状態を示す図である。
【図３】電源制御部の動作を示すフローチャートである。
【図４】トランシーバ部の動作を説明するためのフローチャートである。
【図５】ターミナル部の動作を説明するためのフローチャートである。
【発明を実施するための形態】
【０００９】
以下、図面に基づき、本発明の実施の形態について詳細に説明する。
図１は、本発明の実施形態に係る情報処理端末の概要を示す構成図である。
【００１０】
この情報処理端末ＨＴは携帯型であり、バッテリを内蔵する電源部１と、電源スイッチ２と、電源制御部３と、トランシーバ部１０と、ターミナル部２０とを備える。情報処理端末ＨＴは、例えば店舗に導入され、商品の情報を表示したり、棚卸や商品の在庫確認を行うこと等に用いられる。
【００１１】
電源部１は、電源スイッチ２がオンすると、電源制御部３に電力を供給して活性化させる構成である。活性化した電源制御部３は、電源部１を制御する。
【００１２】
トランシーバ部１０は、ＣＰＵ（Central Processing Unit）１１と、ＲＯＭ（Read Only Memory ）１２と、ＲＡＭ（Random Access Memory）１３と、特定小電力無線送受信部１４と、表示部１５と、サウンド処理部１６と、操作部１７と、図示しない不揮発性メモリとを備え、これらがバスＢを介して接続されている。
【００１３】
ＣＰＵ１１は、ＲＯＭ１２に格納されたプログラムに基づいて動作し、トランシーバ部１０の全体を制御するものである。ＣＰＵ１１は、電源制御部３とも接続されている。ＲＡＭ１３は、各種情報を記憶すると共に、ＣＰＵ１１に作業用の記憶領域を提供する。特定小電力無線送受信部１４は、特定小電力無線で音声を示す信号やショートメッセージを送受信する。ショートメッセージとは、文字数が制限されたメッセージやコードである。
【００１４】
表示部１５は、バスＢに接続されたディスプレイで構成されている。尚、表示部１５にタッチパネル１５ａを組み合わせ、ディスプレイ上の画像から入力できるようにしてもよい。
【００１５】
サウンド処理部１６は、音声を電気信号に変換する図示しないマイクロホンと、特定小電力無線送受信部１４で受信して復調した信号を音声に変換する図示しないスピーカとを備えている。
【００１６】
操作部１７は、複数のキーやボタン等で構成され、使用者が指示や情報を入力する際に用いられる。入力された指示や情報は、バスＢを介してＣＰＵ１１或いは後述のＣＰＵ２１に検出される。
【００１７】
ターミナル部２０は、ＣＰＵ２１と、ＲＯＭ２２と、ＲＡＭ２３と、無線ＬＡＮ送受信部２４と、スキャナ部２５とを備え、これらがバスＢを介して接続されている。
【００１８】
ＣＰＵ２１は、ＲＯＭ２２に格納されたプログラムに基づいて動作し、ターミナル部２０の全体を制御するものである。ＣＰＵ２１は、電源制御部３とも接続されている。
【００１９】
ＲＡＭ２３は、各種情報を記憶すると共に、ＣＰＵ２１に作業用の記憶領域を提供する。
無線ＬＡＮ送受信部２４は、無線ＬＡＮに対してメールを送受信すると共に、スキャナ部２５で収集されたデータを無線ＬＡＮへ送信する。
【００２０】
スキャナ部２５は、バーコード或いは２次元バーコード等を読み取ってデータを収集する機能を有する。尚、別の例では、スキャナ部２５は文字を読み取るものであってもよい。また、ターミナル部２０には、図示しないプリンタを設けてもよい。
【００２１】
ターミナル部２０は、スキャナ部２５で収集したデータを無線ＬＡＮに送信するとともに、無線ＬＡＮを介してメールを送受信するので、待受け時間を含めた消費電力がトランシーバ部１０よりも大きい。
【００２２】
図２は、情報処理端末の使用状態を示す図である。
店舗等で用いられる場合、例えば複数の情報処理端末ＨＴが店員に渡され、これらが店員に携行される。店舗には、店舗内サーバ４０とトランシーバ中継器５０が配置されている。
【００２３】
各情報処理端末ＨＴは、店舗内に配置された店舗内サーバ４０に無線ＬＡＮを介して接続されている。
【００２４】
店舗内サーバ４０は、例えば公衆回線ＮＷに接続されている。店舗内サーバ４０は、公衆回線ＮＷを介して情報処理端末ＨＴを指定して送信されたメールを受信して保存する機能を有する。
店舗内サーバ４０は、トランシーバ中継器５０と接続され、受信したメールのあて先となる情報処理端末ＨＴに対して新着メールがあることを示すショートメッセージを作成して、トランシーバ中継器５０に送信する機能を有する。
【００２５】
また、店舗内サーバ４０は、無線ＬＡＮを介して情報処理端末ＨＴから与えられたデータやメールを、その情報処理端末ＨＴが指定する相手に、公衆回線NWを介して送信する機能を有する。
また、店舗内サーバ４０は、公衆回線ＮＷから情報処理端末ＨＴを指定して与えられたデータを、無線ＬＡＮを介して指定された情報処理端末ＨＴに送信する機能を有する。
【００２６】
トランシーバ中継器５０は、各情報処理端末ＨＴ間の音声信号及びショートメッセージの通信を中継するものであり、音声信号及びショートメッセージの送受信は、特定小電力無線により行われる。トランシーバ中継器５０は、また、店舗内サーバ４０から受信したショートメッセージを、ショートメッセージのあて先の情報処理端末ＨＴに、特定小電力無線により送信する機能も有する。
【００２７】
次に、図１の情報処理端末の動作を、図３〜図５を参照して説明する。
図３は、電源制御部３の動作を示すフローチャートである。
【００２８】
使用者が電源スイッチをオンにすると（ステップＳ１０）、電源制御部３は、電源部１から電力が供給されて活性化し、動作を開始する。活性化した電源制御部３は、電源部１を制御し、トランシーバ部１０の電源をオンにし、ターミナル部２０の電源をオフにする（ステップＳ１１）。則ち、電源部１からトランシーバ部１０への電力供給を開始させ、ターミナル部２０への電力供給は停止させた状態で維持する。
【００２９】
ステップＳ１１の後、ＣＰＵ１１は、使用者が操作部１７を用いてターミナル部２０の電源をオンにする操作を行ったか否かを監視している（ステップＳ１２）。使用者が操作部１７に対して、ターミナル部２０の電源をオンにする操作を行うと（ステップＳ１２：ＹＥＳ）、ＣＰＵ１１がこれを検知し、ターミナル部２０の電源をオンにするための信号を電源制御部３に与える。電源制御部３は、ＣＰＵ１１からの信号に基づいて、電源部１を制御し、ターミナル部２０の電源をオンにする（ステップＳ１３）。
【００３０】
また、ステップＳ１１の後、使用者が操作部１７を用いてターミナル部２０の電源をオンにする操作が行われていない状態（ステップＳ１２：ＮＯ）では、ＣＰＵ１１は、トランシーバ部１０で特定の情報を受信したか否かを監視している（ステップＳ１４）。この特定の情報とは、例えば、当該情報処理端末ＨＴを送信先とした新着メールがあることを示すショートメッセージである。
【００３１】
新着メールがあることを示すショートメッセージは、店舗内サーバ４０からあて先が付与されてトランシーバ中継器５０へ送信される。トランシーバ中継器５０は、店舗内サーバ４０から受信した新着メールがあることを示すショートメッセージを、送信先に対応する情報処理端末ＨＴに、特定小電力無線で送信する。情報処理端末ＨＴでは、ショートメッセージが特定小電力無線送受信部１４で受信され、ＣＰＵ１１に与えられる。
【００３２】
当該情報処理端末ＨＴに新着メールがあることを示すショートメッセージを受信した場合（ステップＳ１４：ＹＥＳ）、ＣＰＵ１１は、ターミナル部２０の電源をオンにするための信号を電源制御部３に与える。電源制御部３は、ＣＰＵ１１からの信号に基づいて、電源部１を制御し、ターミナル部２０の電源をオンにする（ステップＳ１３）。
【００３３】
ステップＳ１３の後、使用者が操作部１７を操作して、ターミナル部２０の電源をオフする指示を入力した場合、ＣＰＵ１１はそれを検知し（ステップＳ１５：ＹＥＳ）、電源制御部３に、ターミナル部２０の電源をオフにするための信号を与える。電源制御部３は、ＣＰＵ１１から与えられた信号に基づいて電源部１を制御して、ターミナル部２０の電源をオフする（ステップＳ１６）。
【００３４】
ステップＳ１６の後、或いは新着メールがあることを示すショートメッセージを受信しなかった場合（ステップＳ１４：ＮＯ）に、電源スイッチ２がオフされると（ステップＳ１７：ＹＥＳ）、電源制御部３は停止する。
【００３５】
電源スイッチ２がオフされない場合（ステップＳ１７：ＮＯ）、電源制御部３はステップＳ１１の直後の状態で待機する。
【００３６】
図４は、トランシーバ部１０の動作を説明するためのフローチャートである。
トランシーバ部１０は、トランシーバ部１０の電源がオンすると（ステップＳ３０）、トランシーバ部１０が待機状態になると共に、ＣＰＵ１１が動作可能となる。
【００３７】
待機状態では、ショートメッセージの受信が可能である。ショートメッセージは、当該情報処理端末ＨＴの特定小電力無線送受信部１４で受信される。ショートメッセージを受信したときには（ステップＳ３１：ＹＥＳ）、ＣＰＵ１１は、ショートメッセージを不揮発性メモリに格納すると共に、ターミナル部２０の電源がオフであるか否かを確認する（ステップＳ３２）。ターミナル部２０の電源がオフの場合（ステップＳ３２：ＹＥＳ）、ＣＰＵ１１は、受信したショートメッセージの内容を確認する（ステップＳ３３）。
【００３８】
ショートメッセージが新着メールがあることを示す場合（ステップ３３：ＹＥＳ）に、ＣＰＵ１１は、ターミナル部２０の電源をオンする指示を電源制御部３に与える（ステップＳ３４）。これにより、ターミナル部２０の電源をオンにする。ステップＳ３４の後、ステップＳ３５において、ＣＰＵ１１は、ＣＰＵ２１にショートメッセージを転送する（ステップＳ３５）。
【００３９】
ステップＳ３２の確認で、ターミナル部２０の電源がオンの場合（ステップＳ３２：ＮＯ）、ＣＰＵ１１はステップＳ３３，Ｓ３４の処理を行わず、ＣＰＵ２１にショートメッセージを転送する（ステップＳ３５）。
【００４０】
ステップＳ３３の確認結果が、受信したショートメッセージが新着メールがあることを示さない場合（ステップＳ３３：ＮＯ）、ＣＰＵ１１は、そのショートメッセージを表示部１５に表示する（ステップＳ３６）。
【００４１】
待機状態で、使用者が操作部１７に対して所定の操作をすることにより、ショートメッセージの作成モードが設定される。
ショートメッセージの作成モードが設定されると（ステップＳ３１：ＮＯ，ステップＳ３７：ＹＥＳ）、使用者が操作部１７を操作してショートメッセージの文字を入力し（ステップＳ３８）、ＣＰＵ１１がその文字に相当するコードをＲＡＭ１３に記憶させると共に文字を表示部１５に表示する（ステップＳ３９）。
【００４２】
このステップＳ３８とステップＳ３９とは、ショートメッセージの作成が終了するまで、繰り返される（ステップＳ４０：ＮＯ）。ショートメッセージの作成が終了して（ステップＳ４０：ＹＥＳ）、使用者が操作部１７を操作し、送信先を指定して送信を指示すると、ＣＰＵ１１は、作成されたショートメッセージを特定小電力無線送受信部１４から送信する（ステップＳ４１）。
【００４３】
待機状態で、使用者が操作部の所定のボタンを押下することにより、或いは、音声を検出した場合に、音声送信モードが設定される。
音声送信モードが設定されると（ステップＳ３１：ＮＯ，ステップＳ３７：ＮＯ，ステップＳ４２：ＹＥＳ）、音声送信処理（ステップＳ４３）を行う。即ち、サウンド処理部１６のマイクロホンが、入力される音声を音声信号に変換し、ＣＰＵ１１が特定小電力無線送受信回路１４を制御して音声信号を、送信先に割り当てられたチャネルにより、他の情報処理端末ＨＴに直接或いはトランシーバ中継器５０を介して送信する。
【００４４】
操作部１７の操作により、或いは、音声の入力の終了を検知すると、音声送信モードが終了する（ステップＳ４４：ＹＥＳ）。
【００４５】
待機状態で、他の情報処理端末ＨＴが送信する音声信号は、特定小電力無線送受信部１４で受信される（ステップＳ３１：ＮＯ，ステップＳ３７：ＮＯ，ステップＳ４２：ＮＯ，ステップＳ４５：ＹＥＳ）。ＣＰＵ１１は、音声受信処理を行う（ステップＳ４６）。すなわち、ＣＰＵ１１は特定小電力無線送受信部１４を制御し、受信した音声信号を復調する。サウンド処理部１６のスピーカは、特定小電力無線送受信部１４で復調された信号を音に変換して出力する。
【００４６】
電源スイッチ２がオフされると（ステップＳ４７：ＹＥＳ）、トランシーバ部１０は電源がオフされ、動作を停止する。
【００４７】
図５は、ターミナル部２０の動作を説明するためのフローチャートである。
ターミナル部２０の電源がオンになることにより（ステップＳ５０）、ターミナル部２０が待機状態になり、ＣＰＵ２１が動作可能となる。
【００４８】
待機状態に、使用者がスキャナ部２５を利用して、商品に付されたコードを入力すると（ステップＳ５１：ＹＥＳ）、ＣＰＵ２１はそのコードを認識する（ステップＳ５２）。ステップＳ５２の後、ＣＰＵ２１は、在庫確認モードが設定されているか、或いは棚卸モードが設定されているかを確認する。これらのモードの設定は、待機状態の期間に、操作部１７の操作によって設定してもよいし、ステップＳ５２の後に設定してもよい。
【００４９】
在庫確認モードが設定されている場合（ステップＳ５３：ＹＥＳ）、ＣＰＵ２１は、ステップＳ５２で認識したコードに対応する商品の在庫量を店舗内サーバ４０へ問い合わせる（ステップＳ５４）。この問い合わせは、無線ＬＡＮ送受信部２４を介して行う。ステップＳ５４の問い合わせに応答して、在庫データが店舗内サーバ４０から受信すると（ステップＳ５５：ＹＥＳ）、ＣＰＵ２１は、在庫データを表示部１５に表示する（ステップＳ５６）。
【００５０】
棚卸モードが設定されている場合（ステップＳ５３：ＮＯ，ステップＳ５７：ＹＥＳ）、ＣＰＵ２１は、棚卸処理を行う（ステップＳ５８）。この棚卸処理では、例えばステップＳ５２で認識されたコードに対応する商品の数量を使用者が操作部１７の操作によって入力する。ＣＰＵ２１は、入力された数量をコードと対応させてＲＡＭ２３に記憶させる。尚、ＣＰＵ２１は、入力された数量とコードと対応させて、無線ＬＡＮ送受信部２４から店舗内サーバ４０に転送してもよい。
【００５１】
在庫確認モード及び棚卸モードのいずれも設定されていない場合（ステップＳ５３：ＮＯ，ステップＳ５７：ＮＯ）の場合、ＣＰＵ２１は、ステップＳ５２で認識されたコードに対応して、事前にＲＡＭ２３に格納された商品の情報を読み出し、表示部１５に表示する（ステップＳ５９）。
【００５２】
待機状態中に、ＣＰＵ１１からショートメッセージを受けると（ステップＳ５１：ＮＯ，ステップＳ６０：ＹＥＳ）、ＣＰＵ２１は、そのショートメッセージが新着メールがあることを示すか否かを判断する（ステップＳ６１）。
【００５３】
ショートメッセージが新着メールのあることを示す場合（ステップＳ６１：ＹＥＳ）、無線ＬＡＮ送受信部２４により、無線ＬＡＮを介して店舗内サーバ４０と接続し、新着メールを問い合わせる（ステップＳ６２）。新着メールの問い合わせに応答して、無線ＬＡＮを介して店舗内サーバ４０から新着メールを受信したときに（ステップＳ６３：ＹＥＳ）、ＣＰＵ２１は受信した新着メールを表示部１５に表示する（ステップＳ６４）。
【００５４】
ステップＳ６１において、ＣＰＵ１１から受信したショートメッセージが新着メールのあることを示さない場合（ステップＳ６１：ＮＯ）、ＣＰＵ２１は、ＣＰＵ１１から受信したショートメッセージを表示部１５に表示する（ステップＳ６５）。
【００５５】
待機状態において、操作部１７の操作により、メール作成モードが設定されると（ステップＳ５１：ＮＯ，ステップＳ６０：ＮＯ，ステップＳ６６：ＹＥＳ）、使用者は、操作部１７を用いて逐次文字を入力する（ステップＳ６７）。ＣＰＵ２１は、逐次入力される文字をＲＡＭ２３に記憶させると共に表示部１５に表示する（ステップＳ６８）。
【００５６】
ステップＳ６７及びステップＳ６８は、メールの入力が完了するまで繰り返される。メールの入力が完了し（ステップＳ６９：ＹＥＳ）、使用者が操作部１７を操作して、メール送信の指示を入力すると、ＣＰＵ２１は、ステップＳ６７で作成されたメールを無線ＬＡＮ送受信部２４から無線ＬＡＮを介して店舗内サーバ４０に送信し、店舗内サーバ４０から送信先へ送信する（ステップＳ７０）。ＣＰＵ２１は、メールの送信時に、ＲＡＭ２３上のメールを不揮発性メモリに記録させる。
【００５７】
ターミナル部２０のＣＰＵ２１は、電源スイッチ２がオフされるか、或いは操作部１７の操作により、ターミナル部２０の電源オフが指示されることにより、動作を停止する（ステップＳ７１：ＹＥＳ）。
【００５８】
以上のように構成された本実施形態の情報処理端末ＨＴは、次のような利点を有する。
（１）特定小電力無線送受信部１４を設けているので、無線ＬＡＮを用いた以外の通信が可能となり、利便性が向上する。
【００５９】
（２）電源スイッチ２を投入しても、消費電力が高いターミナル部２０が起動しないので、消費電力が少なくてすみ、電池を充電したり、電池を交換する頻度が少なくてすむ。
【００６０】
（３）特定小電力無線送受信部１４を設け、特定小電力無線で新着メールがあることを示すショートメッセージを受信すれば、ターミナル部２０をオンにできるので、外部の遠隔地からターミナル部２０を簡単に起動させることができる。
【００６１】
尚、本発明は、上記実施形態に限定されず、種々の変形が可能である。その変形例としては次のようなものが考えられる。
【００６２】
（ａ）スキャナ部２５をトランシーバ部１０に配置してもよい。
【００６３】
（ｂ）トランシーバ部１０は、特定小電力無線以外で情報を送受信する構成にしてもよい。
【００６４】
（ｃ）ターミナル部２０は、無線ＬＡＮを介した無線通信以外で情報を送受信する構成にしてもよい。
【００６５】
（ｄ）店舗内サーバ４０とトランシーバ中継器５０は、一体の構成にしてもよい。
【００６６】
（ｅ）上記実施形態では、店舗で用いる情報処理端末の例を説明したが、これに限定されず、ソフトウエアを変更するだけで種々の用途に適用可能な情報処理端末を実現できる。
【００６７】
（ｆ）上記実施形態の処理を実行させるプログラムを記憶媒体に書込んでおき、該プログラムを記憶媒体からコンピュータにインストールすることにより、該コンピュータに上記実施形態の処理を実行させるようにしてもよい。また、インターネット等を介して上記実施形態の処理を実行させるプログラムをコンピュータにダウンロードさせて、該コンピュータが上記実施形態の処理を実行できるようにしてもよい。
【００６８】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００６９】
（付記１）
電源と、
オンしているときに前記電源からパワーの供給を受けて、情報を送受信する第１の通信部と、
オンしているときに前記電源からパワーの供給を受けて、情報を送受信する第２の通信部と、
操作可能に設けられ、前記第１の通信部及び第２の通信部がオフしているときに、操作に基づいて第１の通信部のみをオンにする起動手段と、
前記第１の通信部が特定の情報を受信した場合に、前記第２の通信部をオンにする通信起動手段と、
を備えることを特徴とする情報処理端末。
【００７０】
（付記２）
操作可能に設けられ、操作に応じて前記第２の通信部のみをオンまたはオフにするオン・オフ手段を備えることを特徴とする付記１に記載の情報処理端末。
【００７１】
（付記３）
操作可能に設けられ、操作に応じて前記第１の通信部及び第２の通信部を同時にオフにする同時オフ手段を備えることを特徴とする付記１又は２に記載の情報処理端末。
【００７２】
（付記４）
前記第２の通信部は前記第１の通信部よりも消費電力が高いことを特徴とする付記１乃至３のいずれか１つに記載の情報処理端末。
【００７３】
（付記５）
前記第１の通信部は、特定小電力無線で情報を送受信することを特徴とする付記１乃至４のいずれか１つに記載の情報処理端末。
【００７４】
（付記６）
前記第２の通信部は、無線ＬＡＮを介して情報を送受信することを特徴とする付記１乃至５のいずれか１つに記載の情報処理端末。
【００７５】
（付記７）
前記第２の通信部は、無線ＬＡＮを介してメールを受信する機能を持ち、
前記特定の情報は、当該情報処理端末に新着メールが届いることを示す情報であることを特徴とする付記６に記載の情報処理端末。
【００７６】
（付記８）
前記第２の通信部は、データを収集するスキャナを有することを特徴とする付記１乃至７のいずれか１つに記載の情報処理端末。
【００７７】
（付記９）
前記電源は、電池であることを特徴とする付記１乃至８のいずれか１つに記載の情報処理端末。
【００７８】
（付記１０）
電源と、オンしているときに前記電源からパワーの供給を受けて、情報を送受信する第１の通信部と、オンしているときに前記電源からパワーの供給を受けて、情報を送受信する第２の通信部と、を備える情報処理端末を制御する情報処理端末制御方法であって、
前記第１の通信部及び第２の通信部がオフしているときに、与えられた指示に基づいて第１の通信部のみをオンにする起動処理と、
前記第１の通信部が特定の情報を受信した場合に、前記第２の通信部をオンにする通信起動処理と、
を行うことを特徴する情報処理端末制御方法。
【００７９】
（付記１１）
電源と、オンしているときに前記電源からパワーの供給を受けて、情報を送受信する第１の通信部と、オンしているときに前記電源からパワーの供給を受けて、情報を送受信する第２の通信部と、を備える情報処理端末を制御するコンピュータに、
前記第１の通信部及び第２の通信部がオフしているときに、与えられた指示に基づいて第１の通信部のみをオンにする起動手順と、
前記第１の通信部が特定の情報を受信した場合に、前記第２の通信部をオンにする通信起動手順と、
を実行させることを特徴するプログラム。
【符号の説明】
【００８０】
ＨＴ…情報処理端末、１…電源部、２…電源スイッチ、３…電源制御部、１０…トランシーバ部、１１，２１…ＣＰＵ、１２，２２…ＲＯＭ、１３，２３…ＲＡＭ、１４…特定小電力無線送受信部、１５…表示部、１６…サウンド処理部、１７…操作部、２０…ターミナル部、２４…無線ＬＡＮ送受信部、２５…スキャナ部、４０…店舗内サーバ、５０…トランシーバ中継器
【図１】
2012222749.tif 000003
【図２】
2012222749.tif 000004
【図３】
2012222749.tif 000005
【図４】
2012222749.tif 000006
【図５】
2012222749.tif 000007